(57)【要約】【課題】水質改善濾材を入れた水容器を携帯したり、水を注ぐときに傾けたりしても内壁等に損傷を与えることがなく、安全に使用できる水容器を提供すること。【解決手段】水容器本体の開口した上端部に上蓋を着脱自在に被せ、前記水容器本体の下端部に設けたねじ溝と、前記水容器本体の開口した下端部に着脱自在に被せる底蓋の上端部に設けたねじ溝とを液密に螺合し、前記底蓋に形成した収納凹部の底部と前記水容器本体の下部から内側に突出した支持片との間で、水質改善濾材を収納した通水孔を有する収納容器を着脱自在に保持する。【選択図】図１
0003145358.tif 000002
【実用新案登録請求の範囲】
【請求項１】
水容器本体の開口した上端部に上蓋を着脱自在に被せ、前記水容器本体の開口した下端部に底蓋を着脱自在に被せ、前記底蓋における底部に形成した収納凹部に、水質改善濾材を収納した通水孔を有する収納容器を着脱自在に保持してなることを特徴とする水容器。
【請求項２】
水容器本体の開口した上端部に上蓋を着脱自在に被せ、前記水容器本体の下端部に設けたねじ溝と、前記水容器本体の開口した下端部に着脱自在に被せる底蓋の上端部に設けたねじ溝とを液密に螺合し、前記底蓋に形成した収納凹部の底部と前記水容器本体の下部から内側に突出した支持片との間で、水質改善濾材を収納した通水孔を有する収納容器を着脱自在に保持してなることを特徴とする水容器。
【請求項３】
収納容器に支持片に係止する係止部を形成し、この収納容器における支持片に係止しない中央部を、水容器本体の内部上方へ突出せしめたことを特徴とする請求項２記載の水容器。
【請求項４】
水質改善濾材は、中心の核部と、この核部の外周に被覆した基層部と、この基層部の外周に被覆した表層部とで球状の焼成物を構成し、前記核部は、セラミック粉体を造粒化したもので、成分は、ＳｉＯ２、Ａｌエラー! リンクが正しくありません。Ｏ３、ＴｉＯ２、ＺｒＯ２などの単独造粒物又はこれらの混合造粒物を球状にし、前記基層部３４は、赤外線の波長領域で最大の分子振動スペクトルを発するとともに、この分子振動スペクトルを示す伸縮振動又は変角振動を持つ鉱物を、４００〜８５０℃程度で焼成して脱水後に再結晶化し、２００〜４５０メッシュ程度に粉砕したものを主原料とし、ＳｒＯ、ＴｉＯ２、ＣｏＯ、ＦｅＯ、Ｆｅ２Ｏ３などを補助原料とするものであり、主成分８０〜９５重量％、補助成分５〜２０重量％の割合で混合したもので、前記表層部３５は、基層部３４の表面をガラス状化したものからなることを特徴とする請求項１、２又は３記載の水容器。
【考案の詳細な説明】
【技術分野】
【０００１】
本考案は、安全で、しかも、還元力の強い性質の水を得るための水質改善濾材を容易に装填し、かつ、交換することのできる水容器に関するものである。
【背景技術】
【０００２】
やかん、水筒、ポットなどの水容器に、活性炭セラミックの粒体からなる水質改善濾材を入れて水の脱臭浄化を行なう水質改善濾材入れがすでに提案されている（特許文献１）。
この水質改善濾材入れ１１は、図５に示すように、金網などでかご型に形成された小孔１５を有する収納部１４に、球状体の水質改善濾材１０を開口部１６から複数個入れて、通水孔１３を有する蓋体１２で着脱自在に蓋をし、この蓋体１２にフック１７を掛けて鎖１８をやかん、水筒、ポットなどの水容器の縁から吊下げるようにしたものである。
【特許文献１】特開平８−２９４６８３号公報。
【考案の開示】
【考案が解決しようとする課題】
【０００３】
このような水容器に水質改善濾材入れ１１を吊下げるタイプのものは、水質改善濾材入れ１１に収納される水質改善濾材１０の比重が大きいので、水容器から水を注いだり、水容器を持ち運んだりするときに水容器内で水質改善濾材入れ１１が揺れて、水容器の内壁に衝突して水容器を破壊したり、傷つけたりする恐れがあった。特に、携帯用の断熱水容器は内壁がガラスでできているため従来の水質改善濾材入れ１１を使用するのに制限があった。また、水容器から水を注ぐときに水質改善濾材入れ１１が注ぎ口まで出てきて蓋を押しあけて必要以上の水が注がれる恐れがあった。
【０００４】
本考案は、携帯時に水容器を揺らしたり、水を注ぐときに傾けたりしても内壁等に損傷を与えることがなく、安全に使用できる水容器を提供することを目的とするものである。
【課題を解決するための手段】
【０００５】
本考案の請求項１は、水容器本体の開口した上端部に上蓋を着脱自在に被せ、前記水容器本体の開口した下端部に底蓋を着脱自在に被せ、前記底蓋における底部に形成した収納凹部に、水質改善濾材を収納した通水孔を有する収納容器を着脱自在に保持してなることを特徴とする。
【０００６】
本考案の請求項２は、水容器本体の開口した上端部に上蓋を着脱自在に被せ、前記水容器本体の下端部に設けたねじ溝と、前記水容器本体の開口した下端部に着脱自在に被せる底蓋の上端部に設けたねじ溝とを液密に螺合し、前記底蓋に形成した収納凹部の底部と前記水容器本体の下部から内側に突出した支持片との間で、水質改善濾材を収納した通水孔を有する収納容器を着脱自在に保持してなることを特徴とする。
【考案の効果】
【０００７】
請求項１記載の考案によれば、水容器本体の開口した上端部に上蓋を着脱自在に被せ、前記水容器本体の開口した下端部に底蓋を着脱自在に被せ、前記底蓋における底部に形成した収納凹部に、水質改善濾材を収納した通水孔を有する収納容器を着脱自在に保持したので次の効果を有する、
収納容器に収納される水質改善濾材の比重が大きくても収納容器がしっかりと保持され、水容器から水を注いだり、水容器を持ち運んだりするときに水容器内で収納容器が揺れることがない。そのため、水容器の内壁に衝突して水容器を破壊したり、傷つけたりする恐れがない。携帯用の断熱水容器は内壁がガラスでできていても使用するのに制限がない。また、水容器から水を注ぐときに水質改善濾材入れ１１が注ぎ口まで出てきて蓋を押しあけて必要以上の水が注がれることもない。
従って、携帯時に水容器を揺らしたり、水を注ぐときに傾けたりしても内壁等に損傷を与えることがなく、安全に使用できる水容器を提供することができる。
【考案を実施するための最良の形態】
【０００８】
本考案の水容器は、水容器本体の開口した上端部に上蓋を着脱自在に被せ、前記水容器本体の開口した下端部に底蓋を着脱自在に被せ、前記底蓋における底部に形成した収納凹部に、水質改善濾材を収納した通水孔を有する収納容器を着脱自在に保持してなるものである。
より具体的には、水容器本体の開口した上端部に上蓋を着脱自在に被せ、前記水容器本体の下端部に設けたねじ溝と、前記水容器本体の開口した下端部に着脱自在に被せる底蓋の上端部に設けたねじ溝とを液密に螺合し、前記底蓋に形成した収納凹部の底部と前記水容器本体の下部から内側に突出した支持片との間で、水質改善濾材を収納した通水孔を有する収納容器を着脱自在に保持してなるものである。
水質改善濾材は、例えば、中心の核部と、この核部の外周に被覆した基層部と、この基層部の外周に被覆した表層部とで球状の焼成物を構成し、前記核部は、セラミック粉体を造粒化したもので、成分は、ＳｉＯ２、Ａｌエラー! リンクが正しくありません。Ｏ３、ＴｉＯ２、ＺｒＯ２などの単独造粒物又はこれらの混合造粒物を球状にし、前記基層部３４は、赤外線の波長領域で最大の分子振動スペクトルを発するとともに、この分子振動スペクトルを示す伸縮振動又は変角振動を持つ鉱物を、４００〜８５０℃程度で焼成して脱水後に再結晶化し、２００〜４５０メッシュ程度に粉砕したものを主原料とし、ＳｒＯ、ＴｉＯ２、ＣｏＯ、ＦｅＯ、Ｆｅ２Ｏ３などを補助原料とするものであり、主成分８０〜９５重量％、補助成分５〜２０重量％の割合で混合したもので、前記表層部３５は、基層部３４の表面をガラス状化したものからなるものを使用するが、この例に限るものではない。
【実施例１】
【０００９】
図１ないし図３において、水容器２０は、ガラス、ステンレススチール、プラスチックなどの上下端部が開口した水容器本体２１と、これらの上下端の開口部に着脱自在に被せる上蓋２３と、底蓋２４とで構成されている。
前記水容器本体２１は、底が抜けた状態に開口し、この開口した下端部の外周にねじ溝３２が形成され、また、下端部をやや内側に折り曲げて支持片３１を一体に形成してある。
前記底蓋２４は、内側の底部分に後述する収納容器２６が収納される収納凹部３０が形成され、また、上端部の外周に前記水容器本体２１のねじ溝３２と螺合するねじ溝３２が形成されている。この底蓋２４の上端部には、水漏れを防ぐために水容器本体２１に密接する漏水防止部材２５が取り付けられている。
【００１０】
前記収納容器２６は、図２に示すように、前記底蓋２４の収納凹部３０内に収納されるもので、ステンレススチール板などのように飲み水に悪影響を与えない材料を用いた扁平筒状の収納部２７と蓋部２８とで構成されており、収納部２７と蓋部２８には、それぞれ多数の通水孔２９が穿設されている。そして、前記収納部２７内には、多数の水質改善濾材１０が収納される。
【００１１】
このようにして構成された収納容器２６の収納部２７には、内部で水質改善濾材１０が内部で動くことができる程度にゆるく収納され、蓋部２８で蓋をする。この水質改善濾材１０を収納した収納容器２６を底蓋２４の収納凹部３０内に収納して水容器本体２１の下端部のねじ溝３２にて互いに螺合する。すると、収納容器２６は、底蓋２４の底部と水容器本体２１の支持片３１の間に固定的に安定して保持され、また、底蓋２４の漏水防止部材２５が水容器本体２１の外周に密接する。
この状態で、上蓋２３を外して水２２を水容器本体２１内に注入すると、水質改善濾材１０は、水２２に浸された状態となる。
水容器２０を水筒やポットとして持ち運んだり、内部の水２２を注ぎだすために傾けたりしても、収納容器２６はしっかりと保持されているので、水質改善濾材１０は、収納容器２６内でのみ移動する。
【００１２】
前記水質改善濾材１０は、例えば、特願平９−１６３１６６号記載されたもの、その他同様のものが使用される。
さらに詳しくは、この水質改善濾材１０は、図３に示すように、核部３３と、基層部３４と、表層部３５との焼成物からなる。
前記核部３３は、セラミック粉体を造粒化したもので、成分は、ＳｉＯ２、Ａｌエラー! リンクが正しくありません。Ｏ３、ＴｉＯ２、ＺｒＯ２などの単独造粒物又はこれらの混合造粒物を球状にしたものである。
前記基層部３４は、赤外線の波長領域で最大の分子振動スペクトルを発するとともに、この分子振動スペクトルを示す伸縮振動又は変角振動を持つ鉱物を、４００〜８５０℃程度で焼成して脱水後に再結晶化し、２００〜４５０メッシュ程度に粉砕したものを主原料とし、ＳｒＯ、ＴｉＯ２、ＣｏＯ、ＦｅＯ、Ｆｅ２Ｏ３などを補助原料とするものであり、主成分８０〜９５重量％、補助成分５〜２０重量％の割合で混合したものである。
前記表層部３５は、基層部３４の表面をガラス状化したものである。
この水質改善濾材１０は、次のような効果を有する。
（１）洗浄効果、消臭効果が極めて高い。
（２）空気清浄効果に優れている。
（３）帯電電位が低く、ｐＨの緩衝作用を有する。
（４）動物や植物にとって安全でおいしい水になる。
（５）健康状態を改善し、病人も元気になる。
【００１３】
収納容器２６内に充填された水質改善濾材１０に水を接触させることにより、還元力のある水となる。すなわち、水容器２０に注入された水は、水質改善濾材１０に触れことにより、マイナスイオンや活性水素が施された還元率の高い水質に改善される。このような電位の低い、いわゆる還元された良質の水の波動が人間の新陳代謝を活発にし、自浄作用を最大限に引き出すこととなる。
【００１４】
例えば、還元力のある水には、酸素などのガスや溶質が溶け込み易くなっているので、この豊富な酸素により絶対嫌気性菌はいうまでもなく、通性嫌気性菌も長生きできず、従って、大腸菌は、陽性や陰性に変わり、一般細菌数が死滅激減する。
また、下水や排水が浄化され、浴場、洗面場、洗濯場、便所などの悪臭が消え、少ない洗剤で洗濯効果が発揮され、加湿器の水として利用すると部屋空気がきれいになるだけでなく、マイナスイオンにより疲れが癒され、蚊やあぶらむしの発生を防止するなどの効果が得られる。
【００１５】
さらに、例えば、トリハノメタンの前駆物質であるフミン酸粒子は、たんぱく質の周りを水の層が３重に取り囲んだものであり、水質改善濾材１０によって際外層の水から順次還元性を強めていくことによって、たんぱく質表面の水が薄層となり、微生物との接触が促進され、微生物により分解される。
【実施例２】
【００１６】
実施例２は、水容器２０が細長いために収納容器２６を扁平な丸型容器とすると、底部の面積が狭く、水質改善濾材１０の数量が少なすぎる場合に、収納容器２６の背丈を高くした例を図４に示している。すなわち、収納容器２６に支持片３１に係止する係止部を形成し、この収納容器２６における支持片３１に係止しない中央部を水容器本体２１の上部に突出するように構成する。このような背丈の高い収納容器２６は、中心に空洞を有するもの（図４）でもよいし、空洞を有しないものでもよい。
【図面の簡単な説明】
【００１７】
【図１】本考案による水容器の実施例１を示す一部切り欠いた正面図である。
【図２】本考案による水容器に利用される収納容器の一実施例を示す分解斜視図である。
【図３】水質改善濾材の一例を示す断面図である。
【図４】本考案による水容器の実施例２を示す一部の断面図である。
【図５】従来の水質改善濾材入れの分解斜視図である。
【符号の説明】
【００１８】
１０…水質改善濾材、１１…水質改善濾材入れ、１２…蓋体、１３…通水孔、１４…収納部、１５…小孔、１６…開口部、１７…フック、１８…鎖、２０…水容器、２１…水容器本体、２２…水、２３…上蓋、２４…底蓋、２５…漏水防止部材、２６…収納容器、２７…収納部、２８…蓋部、２９…通水孔、３０…収納凹部、３１…支持片、３２…ねじ溝、３３…核部、３４…基層部、３５…表層部。
【図１】
0003145358.tif 000003
【図２】
0003145358.tif 000004
【図３】
0003145358.tif 000005
【図４】
0003145358.tif 000006
【図５】
0003145358.tif 000007
【手続補正書】
【提出日】平成20年7月31日(2008.7.31)
【手続補正１】
【補正対象書類名】実用新案登録請求の範囲
【補正対象項目名】全文
【補正方法】変更
【補正の内容】
【実用新案登録請求の範囲】
【請求項１】
水容器本体の開口した上端部に上蓋を着脱自在に被せ、前記水容器本体の開口した下端部に底蓋を着脱自在に被せ、前記底蓋における底部に形成した収納凹部に、水質改善濾材を収納した通水孔を有する収納容器を着脱自在に保持してなることを特徴とする水容器。
【請求項２】
水容器本体の開口した上端部に上蓋を着脱自在に被せ、前記水容器本体の下端部に設けたねじ溝と、前記水容器本体の開口した下端部に着脱自在に被せる底蓋の上端部に設けたねじ溝とを液密に螺合し、前記底蓋に形成した収納凹部の底部と前記水容器本体の下部から内側に突出した支持片との間で、水質改善濾材を収納した通水孔を有する収納容器を着脱自在に保持してなることを特徴とする水容器。
【請求項３】
収納容器に支持片に係止する係止部を形成し、この収納容器における支持片に係止しない中央部を、水容器本体の内部上方へ突出せしめたことを特徴とする請求項２記載の水容器。
【請求項４】
水質改善濾材は、中心の核部と、この核部の外周に被覆した基層部と、この基層部の外周に被覆した表層部とで球状の焼成物を構成し、前記核部は、セラミック粉体を造粒化したもので、成分は、ＳｉＯ２、Ａｌ２Ｏ３、ＴｉＯ２、ＺｒＯ２などの単独造粒物又はこれらの混合造粒物を球状にし、前記基層部３４は、赤外線の波長領域で最大の分子振動スペクトルを発するとともに、この分子振動スペクトルを示す伸縮振動又は変角振動を持つ鉱物を、４００〜８５０℃程度で焼成して脱水後に再結晶化し、２００〜４５０メッシュ程度に粉砕したものを主原料とし、ＳｒＯ、ＴｉＯ２、ＣｏＯ、ＦｅＯ、Ｆｅ２Ｏ３などを補助原料とするものであり、主成分８０〜９５重量％、補助成分５〜２０重量％の割合で混合したもので、前記表層部３５は、基層部３４の表面をガラス状化したものからなることを特徴とする請求項１、２又は３記載の水容器。
【手続補正２】
【補正対象書類名】明細書
【補正対象項目名】０００８
【補正方法】変更
【補正の内容】
【０００８】
本考案の水容器は、水容器本体の開口した上端部に上蓋を着脱自在に被せ、前記水容器本体の開口した下端部に底蓋を着脱自在に被せ、前記底蓋における底部に形成した収納凹部に、水質改善濾材を収納した通水孔を有する収納容器を着脱自在に保持してなるものである。
より具体的には、水容器本体の開口した上端部に上蓋を着脱自在に被せ、前記水容器本体の下端部に設けたねじ溝と、前記水容器本体の開口した下端部に着脱自在に被せる底蓋の上端部に設けたねじ溝とを液密に螺合し、前記底蓋に形成した収納凹部の底部と前記水容器本体の下部から内側に突出した支持片との間で、水質改善濾材を収納した通水孔を有する収納容器を着脱自在に保持してなるものである。
水質改善濾材は、例えば、中心の核部と、この核部の外周に被覆した基層部と、この基層部の外周に被覆した表層部とで球状の焼成物を構成し、前記核部は、セラミック粉体を造粒化したもので、成分は、ＳｉＯ２、Ａｌ２Ｏ３、ＴｉＯ２、ＺｒＯ２などの単独造粒物又はこれらの混合造粒物を球状にし、前記基層部３４は、赤外線の波長領域で最大の分子振動スペクトルを発するとともに、この分子振動スペクトルを示す伸縮振動又は変角振動を持つ鉱物を、４００〜８５０℃程度で焼成して脱水後に再結晶化し、２００〜４５０メッシュ程度に粉砕したものを主原料とし、ＳｒＯ、ＴｉＯ２、ＣｏＯ、ＦｅＯ、Ｆｅ２Ｏ３などを補助原料とするものであり、主成分８０〜９５重量％、補助成分５〜２０重量％の割合で混合したもので、前記表層部３５は、基層部３４の表面をガラス状化したものからなるものを使用するが、この例に限るものではない。
【手続補正３】
【補正対象書類名】明細書
【補正対象項目名】００１２
【補正方法】変更
【補正の内容】
【００１２】
前記水質改善濾材１０は、例えば、特願平９−１６３１６６号記載されたもの、その他同様のものが使用される。
さらに詳しくは、この水質改善濾材１０は、図３に示すように、核部３３と、基層部３４と、表層部３５との焼成物からなる。
前記核部３３は、セラミック粉体を造粒化したもので、成分は、ＳｉＯ２、Ａｌ２Ｏ３、ＴｉＯ２、ＺｒＯ２などの単独造粒物又はこれらの混合造粒物を球状にしたものである。
前記基層部３４は、赤外線の波長領域で最大の分子振動スペクトルを発するとともに、この分子振動スペクトルを示す伸縮振動又は変角振動を持つ鉱物を、４００〜８５０℃程度で焼成して脱水後に再結晶化し、２００〜４５０メッシュ程度に粉砕したものを主原料とし、ＳｒＯ、ＴｉＯ２、ＣｏＯ、ＦｅＯ、Ｆｅ２Ｏ３などを補助原料とするものであり、主成分８０〜９５重量％、補助成分５〜２０重量％の割合で混合したものである。
前記表層部３５は、基層部３４の表面をガラス状化したものである。
この水質改善濾材１０は、次のような効果を有する。
（１）洗浄効果、消臭効果が極めて高い。
（２）空気清浄効果に優れている。
（３）帯電電位が低く、ｐＨの緩衝作用を有する。
（４）動物や植物にとって安全でおいしい水になる。
（５）健康状態を改善し、病人も元気になる。